(57)【要約】      （修正有）【課題】切り換え動作をスムーズに行うことができる遠近照明切り替え装置を提供する。【解決手段】固定片１０と、電磁弁２０と、牽引部材４０と、遮光板３０とからなる。固定片１０の上端には、発光素子に対応する凹み部１１が設けられ、固定片１０の下端には電磁弁２０が結合され、電磁弁２０には、リセット部材２３が被せられる弁軸２１が凹み部１１の方向へと凸設され、牽引部材４０と遮光板３０は、電磁弁２０に連動する。固定片１０の凹み部１１の両側には、枢軸孔が穿設された枢軸台座１２が凸設され、遮光板３０の両側には、上枢軸孔と下枢軸孔が穿設された枢軸片３１が凸設され、遮光板３０は、二枚の枢軸片３１の下枢軸孔に直棒を設けることで、固定片１０の枢軸台座１２と一体に枢設される。牽引部材４０は、中段が外に曲がった嵌合部４１を備える引きバー構造であり、嵌合部４１は電磁弁２０の弁軸２１に嵌合され、牽引部材４０の両側の差込端部は、遮光板３０の両側の枢軸片３１の上枢軸孔に差し込まれる。【選択図】図５
0003177233.tif 000002
【実用新案登録請求の範囲】
【請求項１】
固定片と、電磁弁と、牽引部材と、遮光板とからなる遠近照明切り替え装置であって、
固定片の上端には、照明の発光素子に対応する凹み部が設けられ、固定片の下端には電磁弁が結合され、電磁弁には、リセット部材が被せられる弁軸が凹み部の方向へと凸設され、牽引部材と遮光板は、電磁弁に連動し、
固定片の凹み部の両側には、枢軸孔が穿設された枢軸台座が凸設され、遮光板の両側には、上枢軸孔と下枢軸孔が穿設された枢軸片が凸設され、遮光板は、二枚の枢軸片の下枢軸孔に直棒を設けることで、固定片の枢軸台座と一体に枢設され、
牽引部材は、中段が外に曲がった嵌合部を備える引きバー構造であり、中段の嵌合部は電磁弁の弁軸に嵌合され、牽引部材の両側の差込端部は、遮光板の両側の枢軸片の上枢軸孔に差し込まれて枢設されることを特徴とする、遠近照明切り替え装置。
【請求項２】
嵌合部は、折り曲げられてコ状を形成し、電磁弁の弁軸の上段には、嵌合部が嵌合される小径ネック部を形成することを特徴とする、請求項１に記載の遠近照明切り替え装置。
【請求項３】
直棒及び牽引部材は、断面が円形の棒体であることを特徴とする、請求項１に記載の遠近照明切り替え装置。
【考案の詳細な説明】
【技術分野】
【０００１】
本考案は、張力が均一になり安定するとともに、干渉抵抗力が生じるのを避けることができるため、遠近照明の切り替えをよりスムーズ且つ安定して行うことが可能な遠近照明切り替え装置に関する。
【背景技術】
【０００２】
図１に示すように、本考案人が保有する台湾実用新案第Ｍ２９１３８２号の「遠近照明切り替え装置構造」は、固定片１１からなる。固定片１１の上端には、照明器具の発光素子に対応するように凹み部１３が設けられ、下端には電磁弁２０が結合される。電磁弁２０の一側における凹み部１３下端の両側には、枢軸台座１５が凸設され、遮光板３０の下端の一側は延伸して、上下枢軸孔３１、３１’が間隔をあけて設けられた二枚の枢軸片３２を形成し、枢軸片３２には、コ状弾性留め具４０が取り付けられ、コ状弾性留め具４０の両端は、固定片１１の枢軸台座１５に枢設される。また、遮光板３０の二枚の枢軸片３２の下枢軸孔３１’には、牽引片５０が差し込まれて固定され、延伸片５１の係合溝５２が電磁弁２０の弁棒２４の上段に嵌合される。以上の構造により、電磁弁が作動すると牽引片が引っ張られ、それに連動した遮光板が傾いて、遠近照明の切り換えを行うことができる。
【先行技術文献】
【特許文献】
【０００３】
【特許文献１】台湾実用新案第Ｍ２９１３８２号明細書
【０００４】
上述の構造は、実際に使用する際に、以下の欠点が存在する。
１、牽引片５０は、Ｔ状の横向きの片体であり、その係合溝５２は、前方の延伸片５１をプレス成形してなる。なお、構造強度を強化するために、横向き片の内側端には、弧状外縁Ｂが凸設される。図２、図３に示すように、もし、遮光板３０の下枢軸孔３１’と固定片１１の枢軸台座１５の間を直棒Ａで枢設した場合、牽引片５０は、弁棒２４に連動して下降し、その突出した弧状外縁Ｂが、直棒Ａにおける二つの下枢軸孔３１’間の段部にあたり、それ以上、下へ作動させることができなくなる。従来の弾性留め具４０にコ状棒体構造を形成させなければならない主な理由は、この干渉を避けるためである。また、この構造は、牽引片が下降する際の干渉を避けることができるものの、遮光板３０の二つの下枢軸孔３１’と固定片１１の枢軸台座１５には、コ状弾性留め具４０の二つの外折段４１が別々に差し込まれて枢設されているため、両端が個別に結合された状態になり、引っ張る力が片側に偏って均一にならず、安定せずにぐらぐらする状況が生じやすくなるため、遮光板をスムーズにひっくり返すことができなくなる。以上が一つ目の欠点である。
【０００５】
２、図４に示すように、遮光板３０の二つの下枢軸孔３１’と固定片１１の枢軸台座１５に、コ状弾性留め具４０の両端の外折段４１を差し込んで枢設しただけの場合、弾性留め具４０は、何度も切り換え動作を行うと、ゆるんで外れてしまいやすい。以上が、二つ目の欠点である。
【０００６】
３、電磁弁２０によって牽引片５０が下に引っ張られ、遮光板３０も連動する時、その張力は、牽引片５０の両側の差込端部Ｃにかかり、また、牽引片５０は横向き薄片体であり、その構造強度はそれほど強くないため、遮光板３０をスムーズにひっくり返すことができない。以上が、三つ目の欠点である。
【０００７】
４、牽引片５０が差し込まれる遮光板３０の上枢軸孔３１の両側の差込端部Ｃは、薄片状の矩形断面を呈しており、相対的に、牽引の摩擦抵抗力が増すため、遮光板３０をスムーズにひっくり返すことができない。以上が、四つ目の欠点である。
【０００８】
このように、従来の構造に存在する、牽引片の構造強度が弱い、作動する際に干渉抵抗力がある、弾性留め具が緩みやすい、張力が均一でないためスムーズに安定して作動させることができない等の欠点を如何に改善するかが、本考案が解決すべき課題である。
【考案の概要】
【考案が解決しようとする課題】
【０００９】
本考案は、張力が均一であるため、切り換え動作をスムーズに行うことができ、張力が均一でないことで安定して作動させることができなかったり、ゆるんで外れてしまったりする事態が生じなくなる遠近照明切り替え装置を提供することを目的とする。
【００１０】
また、本考案は、牽引の摩擦抵抗力を減らすとともに、牽引構造の強度を高め、牽引のスムーズさを向上させることができる、遠近照明切り替え装置を提供することを目的とする。
【課題を解決するための手段】
【００１１】
上述の目的を達成するために、遠近照明切り替え装置は、固定片と、電磁弁と、牽引部材と、遮光板とからなる。固定片の上端には、照明の発光素子に対応する凹み部が設けられ、固定片の下端には電磁弁が結合され、電磁弁には、リセット部材が被せられる弁軸が凹み部の方向へと凸設され、牽引部材と遮光板は、電磁弁に連動する。固定片の凹み部の両側には、枢軸孔が穿設された枢軸台座が凸設され、遮光板の両側には、上枢軸孔と下枢軸孔が穿設された枢軸片が凸設され、遮光板は、二枚の枢軸片の下枢軸孔に直棒を設けることで、固定片の枢軸台座と一体に枢設される。
牽引部材は、中段が外に曲がった嵌合部を備える引きバー構造であり、中段の嵌合部は電磁弁の弁軸に嵌合され、牽引部材の両側の差込端部は、遮光板の両側の枢軸片の上枢軸孔に差し込まれて枢設される。
【００１２】
嵌合部は折れ曲がってコ状を形成し、電磁弁の弁軸の上段には、嵌合部が取り付けられる小径ネック部が設けられる。  
【００１３】
直棒及び牽引部材は、断面が円形の棒体である。
【図面の簡単な説明】
【００１４】
【図１】従来の遠近照明切り替え装置の分解斜視図である。
【図２】従来の遠近照明切り替え装置において、直棒を設けることで動作に干渉が生じた状態を示した説明図である。
【図３】従来の遠近照明切り替え装置において、直棒を設けることで動作に干渉が生じた状態を示した説明図である。
【図４】従来の遠近照明切り替え装置において、コ状弾性留め具が緩んだ状態を示した説明図である。
【図５】本考案の分解斜視図である。
【図６】本考案を組み合わせた状態を示した斜視図である。
【図７】本考案の遠距離照明の実施例を示した説明図である。
【図８】本考案の近距離照明の実施例を示した説明図である。
【考案を実施するための形態】
【００１５】
図５から図７に示すように、本考案は、固定片１０と、電磁弁２０と、遮光板３０と、牽引部材４０とからなる。固定片１０の上端には、発光素子５０に対応する凹み部１１が設けられ、凹み部１１下方の両側には、円形枢軸孔を備える枢軸台座１２が凸設される。電磁弁２０は、固定片１０下端に結合され、凹み部１１の方向を向いた弁軸２１には、リセット部材２３が被せられ、弁軸２１の上端は、小径ネック部２２を形成する。遮光板３０は、固定片１０の枢軸台座１３に対応するように、斜め上に向かって延伸し、円形の上、下枢軸孔３２、３３が穿設された二つの枢軸片３１を形成する。二つの下枢軸孔３３と固定片１０の枢軸台座１２は、直棒３４で枢設される。牽引部材４０は断面が円形であり、また、牽引部材４０は、中段が外側に折れ曲がったコ状嵌合部４１を形成する引きバー構造をもち、コ状嵌合部４１を弁軸２１の小径ネック部２２に嵌合することにより、スライド可能に位置決めされる。円形構造の二つの差込端部４２は、遮光板３０の上枢軸孔３２に枢設される。
【００１６】
上述した内容から分かるように、本考案の牽引部材４０は、断面が円形の引きバー構造であるため、牽引部材４０は、十分な構造強度をもち、遮光板３０の切り替えをスムーズに行うことができる。また、図５、図６に示すように、牽引部材４０は、電磁弁２０の弁軸２１によって下に引っ張られた時、遮光板３０の下枢軸孔３１の結合箇所に対する干渉を避けることができる。また、遮光板３０の二つの下枢軸孔３３と固定片１１の二つの枢軸台座１２の間は、直棒３４によって一体に枢設されるため、しっかりと安定して結合されるとともに、均一な張力が生じる。それにより、遮光板３０の両端は、均一な張力を得られ、スムーズに安定してひっくり返すことができる。従って、従来の技術において、コ状弾性留め具が別々に結合されて張力がずれやすく、ゆるんでしまいやすいという欠点をなくすことができる。また、牽引部材４０の両側の差込端部４２は、円棒構造によって、遮光板３０の二枚の枢軸片３１の上枢軸孔３２に枢設され、牽引する或いは位置を戻す際の干渉抵抗力を減らすことができ、操作のスムーズさを向上させることができる。従って、本考案により、遠近照明の切り換えを、非常にスムーズ且つ安定して行うことができるようになる。
【００１７】
図６を参照する。図６は、本考案の遠距離照明の切り替えを示した説明図である。電磁弁２０の弁軸２１を起動させると、牽引部材４０が直接下に引っ張られ、牽引部材４０には、均一な張力が生じ、遮光板３０を安定して牽引して外側へひっくり返すことができるため、両端の張力が均一でない状況が生じず、固定片１０上側の凹み部１１が完全に開いた状態になり、発光素子５０の光線が屈折して遠端へ向かった光束が完全に遮られず、凹み部１１により、外側へと射出され、遠距離照明を形成する。また、図７を参照する。図７は、近距離照明の切り替えを示した説明図である。電源電磁弁２０の弁軸２１をオフにすると、リセット部材２３が元の位置に戻ろうとする反発力により、牽引部材４０が上に押され、それに連動した遮光板３０が上に傾く。それにより、遮光板３０が元の位置に戻って固定片１０に貼りつき、上側の凹み部１１を覆う。従って、発光素子５０の光線が屈折して遠端へ向かった光束は、遮られて射出できず、近距離照明が形成される。
【符号の説明】
【００１８】
（従来技術）
１１      固定片              
１５      枢軸台座              
２４      弁棒
３０      遮光板                
３１      上枢軸孔          
３１’    下枢軸孔      
３２      枢軸片              
４０      コ状弾性留め具    
４１      外折段
５０      牽引片          
５１      延伸片    
５２      係合溝        
Ａ        直棒
Ｂ        弧状外縁            
Ｃ        差込端部
（本考案）
１０      固定片            
１１      凹み部            
１２      枢軸台座
２０      電磁弁            
２１      弁軸            
２２      小径ネック部    
２３      リセット部材        
３０      遮光板        
３１      枢軸片
３２      上枢軸孔            
３３      下枢軸孔    
３４      直棒
４０      牽引部材            
４１      嵌合部            
４２      差込端部
５０      発光素子
【図１】
0003177233.tif 000003
【図２】
0003177233.tif 000004
【図３】
0003177233.tif 000005
【図４】
0003177233.tif 000006
【図５】
0003177233.tif 000007
【図６】
0003177233.tif 000008
【図７】
0003177233.tif 000009
【図８】
0003177233.tif 000010